(57)【特許請求の範囲】
【請求項１】
搬送されてくる複数種類の媒体を受け取る複数のキャリッジを有し、この受け取った媒体を前記キャリッジの移動により媒体の種類に応じて振り分け、複数の集積部に区分集積させる振分手段と、
前記複数の集積部の何れかで媒体の集積が不能になり、この集積不能な集積部に集積されるべき媒体が搬送されてきたのに基づき、この媒体を前記キャリッジの中の所定のキャリッジに集積させて待機させ、集積可能な集積部に集積されるべき媒体が搬送されてきたのに基づき、この媒体を前記所定のキャリッジとは異なる他のキャリッジで受け取って集積可能な集積部に振り分けるように制御する制御手段とを具備することを特徴とする媒体振分装置。
【請求項２】
搬送されてくる複数種類の媒体を受け取る複数のキャリッジを有し、この受け取った媒体を前記キャリッジの移動により媒体の種類に応じて振り分け、複数の集積部に区分集積させる媒体振分方法において、
前記複数の集積部の何れかで媒体の集積が不能になり、この集積不能な集積部に集積されるべき媒体が搬送されてきたのに基づき、この媒体を前記キャリッジの中の所定のキャリッジに集積させて待機させ、集積可能な集積部に集積されるべき媒体が搬送されてきたのに基づき、この媒体を所定のキャリッジとは異なる他のキャリッジで受け取って集積可能な集積部に振り分けるように制御することを特徴とする媒体振分方法。
【請求項３】
所定の処理前の媒体を供給する供給手段と、
この供給手段により供給される所定の処理前の媒体に所定の処理を施し、媒体を作成する作成手段と、
この作成手段により作成されて搬送されてくる複数の媒体を受け取る複数のキャリッジを有し、この受け取った媒体を前記キャリッジの移動により媒体の種類に応じて振り分け、複数の集積部に区分集積させる振分手段と、
前記複数の集積部の何れかで媒体の集積が不能になり、この集積不能な集積部に集積されるべき媒体が搬送されてきたのに基づき、この媒体を前記キャリッジの中の所定のキャリッジに集積させて待機させ、集積可能な集積部に集積されるべき媒体が搬送されてきたのに基づき、この媒体を前記所定のキャリッジとは異なる他のキャリッジで受け取って集積可能な集積部に振り分けるように制御する制御手段とを具備することを特徴とする媒体作成装置。
【請求項４】
媒体を供給する供給手段と、
この供給手段により供給される所定の処理前の媒体に所定の処理を施し、媒体を作成する作成手段と、
この作成手段により作成されて搬送されてくる複数の媒体を受け取る複数のキャリッジを有し、この受け取った媒体を前記キャリッジの移動により媒体の種類に応じて振り分け、複数の集積部に区分集積させる振分手段と、
前記作成手段で媒体が詰まった場合、この媒体を除去したのに基づき後続の媒体を作成手段に搬送させ、この搬送される媒体のうち前記除去された媒体と同一種類の媒体を前記所定のキャリッジに集積させて待機させ、前記除去されたことにより再作成される媒体を前記所定のキャリッジとは異なる他のキャリッジで受けて集積部に搬送して排出させ、この排出後、前記所定のキャリッジに集積されて待機されている媒体を集積部に搬送してその処理された下部側の媒体から順次集積部内に排出して集積させる制御手段とを具備したことを特徴とする媒体作成装置。
【請求項５】
所定の処理前の媒体を供給する供給工程と、
この供給工程により供給される所定の処理前の媒体に所定の処理を施し、媒体を作成する作成工程と、
この作成工程により作成されて搬送されてくる複数の媒体を受け取る複数のキャリッジを有し、この受け取った媒体を前記キャリッジの移動により媒体の種類に応じて振り分け、複数の集積部に区分集積させる振分工程と、
前記複数の集積部の何れかで媒体の集積が不能になり、この集積不能な集積部に集積されるべき媒体が搬送されてきたのに基づき、この媒体を前記キャリッジの中の所定のキャリッジに集積させて待機させ、集積可能な集積部に集積されるべき媒体が搬送されてきたのに基づき、この媒体を前記所定のキャリッジとは異なる他のキャリッジで受け取って集積可能な集積部に振り分けるように制御する制御工程とを具備することを特徴とする媒体作成方法。
【請求項６】
所定の処理前の媒体を供給する供給工程と、
この供給工程により供給される所定の処理前の媒体に所定の処理を施し、媒体を作成する作成工程と、
この作成工程により作成されて搬送される複数の媒体を受け取る複数のキャリッジを有し、この受け取った媒体を前記キャリッジの移動により媒体の種類に応じて振り分け、複数の集積部に区分集積させる振分工程と、
前記作成工程で媒体が詰まった場合、この媒体を除去したのに基づき後続の媒体を作成手段へ搬送させ、この搬送される媒体のうち前記除去された媒体と同一種類の媒体を前記所定のキャリッジに集積させて待機させ、前記除去されたことにより再作成される媒体を前記所定のキャリッジとは異なる他のキャリッジで受けて集積部に搬送して排出させ、この排出後、前記所定のキャリッジに集積されて待機されている媒体を集積部に搬送してその集積された下部側の媒体から順次集積部内に排出して集積させる制御工程とを具備することを特徴とする媒体作成方法。
【請求項７】
媒体の発行情報を供給する情報供給手段と、
媒体発行を申請した申請者の顔を撮影する撮影手段と、
所定の処理前の媒体を供給する媒体供給手段と、
この供給手段により供給される所定の処理前の媒体に前記情報供給手段から供給される発行情報及び前記撮影手段によって撮影された顔画像データに基づいて所定の処理を施し媒体を作成する作成手段と、
この作成手段により作成されて搬送される媒体を受け取る複数のキャリッジを有し、この受け取った媒体を前記キャリッジの移動により媒体の種類に応じて振り分け、複数の集積部に区分集積させる振分手段と、
前記複数の集積部の何れかで媒体の集積が不能になり、この集積不能な集積部に集積されるべき媒体が前記作成手段で作成されて送られてきたのに基づき、この媒体を前記キャリッジの中の所定のキャリッジで受けて集積させて待機させ、集積可能な集積部に集積されるべき媒体が前記作成手段で作成されて送られてきたのに基づき、この媒体を前記所定のキャリッジとは異なる他のキャリッジで受けて集積可能な集積部に振り分けるように制御する制御手段とを具備することを特徴とする媒体発行システム。
【請求項８】
媒体の発行情報を供給する情報供給手段と、
媒体発行を申請した申請者の顔を撮影する撮影手段と、
所定の処理前の媒体を供給する供給手段と、
この供給手段により供給される所定の処理前の媒体に前記情報供給手段から供給される発行情報及び前記撮影手段によって撮影された顔画像データに基づいて所定の処理を施し、媒体を作成する作成手段と、
この作成手段により作成されて搬送される媒体を受け取る複数のキャリッジを有し、この受け取った媒体を前記キャリッジの移動により媒体の種類に応じて振り分け、複数の集積部に区分集積させる振分手段と、
前記作成手段で媒体が詰まった場合、この媒体を除去したのに基づき後続の媒体を搬送させ、この搬送される媒体のうち前記除去された媒体と同一種類の媒体を前記キャリッジの中の所定のキャリッジで受けて集積させて待機させたのち、前記除去されたことにより再作成される媒体を前記所定のキャリッジとは異なる他のキャリッジで受けて前記集積部に搬送して排出させ、この排出後、前記所定のキャリッジに集積されている媒体を前記集積部に搬送してその集積された下部側の媒体から順次集積部内に排出して集積させる制御手段とを具備することを特徴とする媒体発行システム。
【請求項９】
媒体の発行情報を供給する情報供給工程と、
媒体発行を申請した申請者の顔を撮影する撮影工程と、
所定の処理前の媒体を供給する供給工程と、
この供給工程により供給される所定の処理前の媒体に前記情報供給工程により供給さる発行情報及び前記撮影工程によって撮影された顔画像データに基づいて所定の処理を施し、媒体を作成する作成工程と、
この作成工程により作成されて搬送される複数の媒体を受け取る複数のキャリッジを有し、この受け取った媒体を前記キャリッジの移動により媒体の種類に応じて振り分け、複数の集積部に区分集積させる振分工程と、
前記複数の集積部の何れかで媒体の集積が不能になり、この集積不能な集積部に集積されるべき媒体が前記作成工程で作成されて送られてきたのに基づき、この媒体を前記キャリッジの中の所定のキャリッジで受け取って集積させて待機させ、集積可能な集積部に集積されるべき媒体が前記作成工程で作成されて送られてきたのに基づいて、この媒体を前記所定のキャリッジとは異なる他のキャリッジで受けて集積可能な集積部に振り分けるように制御する制御工程とを具備することを特徴とする媒体発行方法。
【請求項１０】
媒体の発行情報を供給する情報供給工程と、
媒体発行を申請した申請者の顔を撮影する撮影工程と、
所定の処理前の媒体を供給する供給工程と、
この供給工程により供給される媒体に前記情報供給工程により供給さる発行情報及び前記撮影工程によって撮影された顔画像データに基づいて所定の処理を施し媒体を作成する作成工程と、
この作成工程により作成されて搬送される複数の媒体を受け取る複数のキャリッジを有し、この受け取った媒体を前記キャリッジの移動により媒体の種類に応じて振り分け、複数の集積部に区分集積させる振分工程と、
前記作成工程で媒体が詰まった場合、この媒体を除去したのに基づき後続の媒体を搬送させ、この搬送される媒体のうち前記除去された媒体と同一種類の媒体を前記キャリッジの中の所定のキャリッジで受けて集積させて待機させたのち、前記除去されて再作成される媒体を前記キャリッジの一つとは異なる他のキャリッジで受けて前記集積部に搬送して排出させ、この排出後、前記所定のキャリッジに集積されている媒体を前記集積部に搬送してその集積された下部側の媒体から順次集積部内に排出して集積させる制御工程とを具備することを特徴とする媒体発行方法。
【発明の詳細な説明】
【０００１】
【発明の属する技術分野】
本発明は例えば、運転免許証（媒体）を作成し、この運転免許証をその種類別に振り分けて複数の集積部に区分集積する媒体振分装置、媒体振分方法、媒体作成装置、媒体作成方法、媒体発行システム及び媒体発行方法に関する。
【０００２】
【従来の技術】
運転免許証を発行する免許証発行システムは、免許情報を管理するコンピュータと、免許情報の照会、登録をする端末装置と、申請者を撮影する撮影部と、免許証を作成する作成装置とから構成されている。
【０００３】
免許証を作成する場合には、まず、申請者から免許証申請書を受け取り、免許情報を端末装置によりコンピュータに登録する。そして、申請者の顔を撮影部により撮影する。
【０００４】
これにより、登録された免許情報のうち免許証記載情報、例えば、免許証番号、交付年月日／照会番号、漢字氏名等が作成装置に供給されるとともに、撮影部で撮影された顔画像データが作成装置に送信されて免許証が作成される。
【０００５】
ところで、作成装置はカードを収納するホッパ部と、このホッパ部から取り出されたカードに顔画像を印画する印画部と、カードに免許証記載情報を印字する印字部と、カードの表面を保護膜で被覆するコート部等を備えている。
【０００６】
そして、この作成装置で作成される免許証は、種類別、例えば、初心者、優良運転者、非優良運転者用で色分けして作成され、この作成後、搬送路に沿って搬送される。搬送されてくる免許証は振分機構によりその種類に応じて、複数のスタッカに選択的に振り分けられて集積される。
【０００７】
振分機構はキャリッジを備え、このキャリッジにより搬送路に沿って搬送されてくる免許証を受け取る。そして、このキャリッジを制御部により指定されたスタッカに向かって移動させたのち、キャリッジ上の免許証を指定されたスタッカに排出させて集積するようになっている。
【０００８】
ところで、スタッカへの免許証の集積動作時において、スタッカ内で免許証が詰まったり、引っかかったりして集積ミスを起こしジャムってしまうことがある。例えば、初心者用の免許証を集積するスタッカで集積ミスが発生した場合には、それ以降に作成された初心者用の免許証を集積させることができなくなる。
【０００９】
【発明が解決しようとする課題】
しかしながら、従来においては、キャリッジを一個しか備えていなかったため、キャリッジが初心者用の免許証を受け取って待機状態となった場合、後から送られてくる免許証を受け取ることができなくなり、免許証の作成動作を中断せざるを得なくなっていた。
【００１０】
また、スタッカには開閉扉が設けられ、この開閉扉を開放することにより、内部に集積されている免許証を取り出したり、或いは、スタッカのジャムを解除するようにしている。この開閉扉の開放時には免許証を集積させることはできない。
【００１１】
しかながら、従来においては、キャリッジを一個しか備えていなかったため、開閉扉が開放されたスタッカに集積されるべき免許証をキャリッジが受け取って待機状態となると、上記した集積ジャムの場合と同様に、後から送られてくる免許証を受け取ることができなくなり、免許証の作成動作を中断せざるを得なくなっていた。
【００１２】
また、振分機構の上流側のホッパ部、印画部、印字部、コート部等の各ステージでカードの詰り等のトラブルが発生した場合には、そのカードを抜き取ったのち、印刷機の初期化を行ってから、カードを再作成するようになっているが、このときには、トラブルの原因となったカードの後続のカードが、再作成されることとなったカード即ちトラブルの原因となったカードよりも先に搬送されていく。
【００１３】
しかしながら、従来においては、キャリッジを一個しか備えていなかったため後続のカードをキャリッジで受けて待機させることができず、後続のカードが再作成されるカードよりも先にスタッカ内に集積され、集積の順番が狂ってしまう。
【００１４】
このため、従来においては、カードの集積を終えた後に、オペレータの手作業により再作成したカードが正しい位置になるように並べ変える作業が必要になり、オペレータの負担が増すとともに、カード発行効率が低下する原因ともなっていた。
【００１５】
そこで、本発明は複数の集積部の何れかで媒体が詰まったり、また、媒体の作成動作中に集積部の開閉扉が開放されても、媒体の作成動作を中断させることなく継続でき、しかも、再作成される媒体を集積後に並べ替えすることなく、正しい順番で集積できるようにした媒体振分装置、媒体振分方法、媒体作成装置、媒体作成方法、媒体発行システム及び媒体発行方法を提供することを目的とする。
【００１６】
【課題を解決するための手段】
本発明は上記課題を解決するため、請求項１記載のものは、搬送されてくる複数種類の媒体を受け取る複数のキャリッジを有し、この受け取った媒体を前記キャリッジの移動により媒体の種類に応じて振り分け、複数の集積部に区分集積させる振分手段と、
前記複数の集積部の何れかで媒体の集積が不能になり、この集積不能な集積部に集積されるべき媒体が搬送されてきたのに基づき、この媒体を前記キャリッジの中の所定のキャリッジに集積させて待機させ、集積可能な集積部に集積されるべき媒体が搬送されてきたのに基づき、この媒体を前記所定のキャリッジとは異なる他のキャリッジで受け取って集積可能な集積部に振り分けるように制御する制御手段とを具備する。
【００１７】
請求項２記載のものは、搬送されてくる複数種類の媒体を受け取る複数のキャリッジを有し、この受け取った媒体を前記キャリッジの移動により媒体の種類に応じて振り分け、複数の集積部に区分集積させる媒体振分方法において、
前記複数の集積部の何れかで媒体の集積が不能になり、この集積不能な集積部に集積されるべき媒体が搬送されてきたのに基づき、この媒体を前記キャリッジの中の所定のキャリッジに集積させて待機させ、集積可能な集積部に集積されるべき媒体が搬送されてきたのに基づき、この媒体を所定のキャリッジとは異なる他のキャリッジで受け取って集積可能な集積部に振り分けるように制御する。
【００１８】
請求項３記載のものは、所定の処理前の媒体を供給する供給手段と、
この供給手段により供給される所定の処理前の媒体に所定の処理を施し、媒体を作成する作成手段と、
この作成手段により作成されて搬送されてくる複数の媒体を受け取る複数のキャリッジを有し、この受け取った媒体を前記キャリッジの移動により媒体の種類に応じて振り分け、複数の集積部に区分集積させる振分手段と、
前記複数の集積部の何れかで媒体の集積が不能になり、この集積不能な集積部に集積されるべき媒体が搬送されてきたのに基づき、この媒体を前記キャリッジの中の所定のキャリッジに集積させて待機させ、集積可能な集積部に集積されるべき媒体が搬送されてきたのに基づき、この媒体を前記所定のキャリッジとは異なる他のキャリッジで受け取って集積可能な集積部に振り分けるように制御する制御手段とを具備する。
【００１９】
請求項４記載のものは、媒体を供給する供給手段と、
この供給手段により供給される所定の処理前の媒体に所定の処理を施し、媒体を作成する作成手段と、
この作成手段により作成されて搬送されてくる複数の媒体を受け取る複数のキャリッジを有し、この受け取った媒体を前記キャリッジの移動により媒体の種類に応じて振り分け、複数の集積部に区分集積させる振分手段と、
前記作成手段で媒体が詰まった場合、この媒体を除去したのに基づき後続の媒体を作成手段に搬送させ、この搬送される媒体のうち前記除去された媒体と同一種類の媒体を前記所定のキャリッジに集積させて待機させ、前記除去されたことにより再作成される媒体を前記所定のキャリッジとは異なる他のキャリッジで受けて集積部に搬送して排出させ、この排出後、前記所定のキャリッジに集積されて待機されている媒体を集積部に搬送してその処理された下部側の媒体から順次集積部内に排出して集積させる制御手段とを具備する。
【００２０】
請求項５記載のものは、所定の処理前の媒体を供給する供給工程と、
この供給工程により供給される所定の処理前の媒体に所定の処理を施し、媒体を作成する作成工程と、
この作成工程により作成されて搬送されてくる複数の媒体を受け取る複数のキャリッジを有し、この受け取った媒体を前記キャリッジの移動により媒体の種類に応じて振り分け、複数の集積部に区分集積させる振分工程と、
前記複数の集積部の何れかで媒体の集積が不能になり、この集積不能な集積部に集積されるべき媒体が搬送されてきたのに基づき、この媒体を前記キャリッジの中の所定のキャリッジに集積させて待機させ、集積可能な集積部に集積されるべき媒体が搬送されてきたのに基づき、この媒体を前記所定のキャリッジとは異なる他のキャリッジで受け取って集積可能な集積部に振り分けるように制御する制御工程とを具備する。
【００２１】
請求項６記載のものは、所定の処理前の媒体を供給する供給工程と、
この供給工程により供給される所定の処理前の媒体に所定の処理を施し、媒体を作成する作成工程と、
この作成工程により作成されて搬送される複数の媒体を受け取る複数のキャリッジを有し、この受け取った媒体を前記キャリッジの移動により媒体の種類に応じて振り分け、複数の集積部に区分集積させる振分工程と、
前記作成工程で媒体が詰まった場合、この媒体を除去したのに基づき後続の媒体を作成手段へ搬送させ、この搬送される媒体のうち前記除去された媒体と同一種類の媒体を前記所定のキャリッジに集積させて待機させ、前記除去されたことにより再作成される媒体を前記所定のキャリッジとは異なる他のキャリッジで受けて集積部に搬送して排出させ、この排出後、前記所定のキャリッジに集積されて待機されている媒体を集積部に搬送してその集積された下部側の媒体から順次集積部内に排出して集積させる制御工程とを具備する。
【００２２】
請求項７記載のものは、媒体の発行情報を供給する情報供給手段と、
媒体発行を申請した申請者の顔を撮影する撮影手段と、
所定の処理前の媒体を供給する媒体供給手段と、
この供給手段により供給される所定の処理前の媒体に前記情報供給手段から供給される発行情報及び前記撮影手段によって撮影された顔画像データに基づいて所定の処理を施し媒体を作成する作成手段と、
この作成手段により作成されて搬送される媒体を受け取る複数のキャリッジを有し、この受け取った媒体を前記キャリッジの移動により媒体の種類に応じて振り分け、複数の集積部に区分集積させる振分手段と、
前記複数の集積部の何れかで媒体の集積が不能になり、この集積不能な集積部に集積されるべき媒体が前記作成手段で作成されて送られてきたのに基づき、この媒体を前記キャリッジの中の所定のキャリッジで受けて集積させて待機させ、集積可能な集積部に集積されるべき媒体が前記作成手段で作成されて送られてきたのに基づき、この媒体を前記所定のキャリッジとは異なる他のキャリッジで受けて集積可能な集積部に振り分けるように制御する制御手段とを具備する。
【００２３】
請求項８記載のものは、媒体の発行情報を供給する情報供給手段と、
媒体発行を申請した申請者の顔を撮影する撮影手段と、
所定の処理前の媒体を供給する供給手段と、
この供給手段により供給される所定の処理前の媒体に前記情報供給手段から供給される発行情報及び前記撮影手段によって撮影された顔画像データに基づいて所定の処理を施し、媒体を作成する作成手段と、
この作成手段により作成されて搬送される媒体を受け取る複数のキャリッジを有し、この受け取った媒体を前記キャリッジの移動により媒体の種類に応じて振り分け、複数の集積部に区分集積させる振分手段と、
前記作成手段で媒体が詰まった場合、この媒体を除去したのに基づき後続の媒体を搬送させ、この搬送される媒体のうち前記除去された媒体と同一種類の媒体を前記キャリッジの中の所定のキャリッジで受けて集積させて待機させたのち、前記除去されたことにより再作成される媒体を前記所定のキャリッジとは異なる他のキャリッジで受けて前記集積部に搬送して排出させ、この排出後、前記所定のキャリッジに集積されている媒体を前記集積部に搬送してその集積された下部側の媒体から順次集積部内に排出して集積させる制御手段とを具備する。
【００２４】
請求項９記載のものは、媒体の発行情報を供給する情報供給工程と、
媒体発行を申請した申請者の顔を撮影する撮影工程と、
所定の処理前の媒体を供給する供給工程と、
この供給工程により供給される所定の処理前の媒体に前記情報供給工程により供給さる発行情報及び前記撮影工程によって撮影された顔画像データに基づいて所定の処理を施し、媒体を作成する作成工程と、
この作成工程により作成されて搬送される複数の媒体を受け取る複数のキャリッジを有し、この受け取った媒体を前記キャリッジの移動により媒体の種類に応じて振り分け、複数の集積部に区分集積させる振分工程と、
前記複数の集積部の何れかで媒体の集積が不能になり、この集積不能な集積部に集積されるべき媒体が前記作成工程で作成されて送られてきたのに基づき、この媒体を前記キャリッジの中の所定のキャリッジで受け取って集積させて待機させ、集積可能な集積部に集積されるべき媒体が前記作成工程で作成されて送られてきたのに基づいて、この媒体を前記所定のキャリッジとは異なる他のキャリッジで受けて集積可能な集積部に振り分けるように制御する制御工程とを具備する。
【００２５】
請求項１０記載のものは、媒体の発行情報を供給する情報供給工程と、
媒体発行を申請した申請者の顔を撮影する撮影工程と、
所定の処理前の媒体を供給する供給工程と、
この供給工程により供給される媒体に前記情報供給工程により供給さる発行情報及び前記撮影工程によって撮影された顔画像データに基づいて所定の処理を施し媒体を作成する作成工程と、
この作成工程により作成されて搬送される複数の媒体を受け取る複数のキャリッジを有し、この受け取った媒体を前記キャリッジの移動により媒体の種類に応じて振り分け、複数の集積部に区分集積させる振分工程と、
前記作成工程で媒体が詰まった場合、この媒体を除去したのに基づき後続の媒体を搬送させ、この搬送される媒体のうち前記除去された媒体と同一種類の媒体を前記キャリッジの中の所定のキャリッジで受けて集積させて待機させたのち、前記除去されて再作成される媒体を前記キャリッジの一つとは異なる他のキャリッジで受けて前記集積部に搬送して排出させ、この排出後、前記所定のキャリッジに集積されている媒体を前記集積部に搬送してその集積された下部側の媒体から順次集積部内に排出して集積させる制御工程とを具備する。
【００２６】
【発明の実施の形態】
以下、本発明を図面に示す実施の形態を参照して詳細に説明する。
【００２７】
図１は、本発明の一実施の形態である媒体発行システムとしての証明書発行システムの全体的構成を示すものである。
【００２８】
この証明書発行システム１は、居住地域（都道府県、あるいは市区町村等）の証明書（印鑑証明書、住民票、戸籍謄本、免許証、パスポート等の媒体としての証明書、ＩＤカード）の発行機関に設けられる。
【００２９】
証明書作成システム１は、管轄される地域に居住する人（居住者）の証明書に関するデータを保有する情報供給手段としてのホストコンピュータ１１と、居住者のデータを入力するデータ入力手段１２と、証明書に顔画像を付与するために申請者の顔画像をカメラ等で直接撮影する撮影手段としての撮影機１４と、申請書に付与された顔写真（顔画像印刷物を含む）を顔画像として読取る読取装置１５と、証明書に記載するデータをホストコンピュータ１１、撮影機１４、読取装置１５から受信し、証明書を作成する作成手段としての証明書作成装置１６とを有して構成されている。この証明書作成システム１を構成する各装置はＬＡＮ１８を介して接続されている。
【００３０】
上記ホストコンピュータ１１は、証明書の発行の可否情報や証明書の記載情報の登録用のデータベース（図示しない）を備えている。データベースには、ＩＤ番号（発行する証明書を特定する情報）としての証明書番号や免許証番号に対する記載情報として、氏名、本籍、住所、生年月日、有効期限、関連情報等の個人情報、発行の可否情報が対応して記憶されるようになっている。このデータベースには、証明書の種類によっては印影データがＩＤ番号に対応して記憶されるようになっている。
【００３１】
たとえば、印鑑証明書番号に対して氏名、住所、印影データが対応して記憶され、免許証番号に対して氏名、生年月日、本籍、住所、交付年月日、有効期限、免許の条件等、免許の取得年月日、取得免許の種類等の個人情報が対応して記憶されるようになっている。
【００３２】
ホストコンピュータ１１は、データ入力手段１２により入力されたＩＤ番号（証明書番号、免許証番号）に対応して、住所、生年月日を含む申請書の記載情報をデータベースに登録する。
【００３３】
これにより、既に証明書を所持している人に対する証明書の再発行や有効期限にともなう更新、個人情報の一部変更などの場合には、以前登録を行った人であればＩＤ番号をキーにしてホストコンピュータ１１のデータベースに保存してあるデータを抽出し、登録の効率化を図ることができる。
【００３４】
データ入力手段１２は、居住者のデータとして、申請者から提出された申請書の内容つまり申請者を特定する、氏名、生年月日、本籍、住所、交付年月日、有効期限、免許の条件等、免許の取得年月日、取得免許の種類等の個人情報としての記載情報を入力するものである。
【００３５】
撮影機１４は、証明書作成の対象者（申請者）の顔写真を撮影するカメラ及びこの申請者のＩＤ番号を入力するキーボードを備える。
【００３６】
読取装置１５は、申請書に添付（貼付け）されている申請者の顔写真を読取るＯＣＲ及びこの申請者のＩＤ番号を入力するキーボードを備える。
【００３７】
証明書作成装置１６は、図２に示すように、撮影機１４で撮影された顔画像データ、ホストコンピュータ１１に登録されている記載情報、及びＩＤ番号とが印刷された証明書を印刷発行する印刷部３と、ＬＡＮ１８に接続されるインターフェース４と、証明書作成装置１６の全体を制御する制御用コンピュータ５を有して構成されている。
【００３８】
証明書作成装置１６は、データ入力手段１２の指示に基づいてホストコンピュータ１１から供給されるＩＤ番号、氏名、生年月日、本籍、住所、交付年月日、有効期限、免許の条件等、免許の取得年月日、取得免許の種類等の文字フォントデータと、撮影機１４或いは読取装置１５から受信した顔画像データとにより証明書を作成したり、データ入力手段１２の指示に基づいてホストコンピュータ１１から供給されるＩＤ番号、住所、氏名等の文字フォントデータと、印影データとにより証明書を作成するものである。
【００３９】
図３は上記した証明書作成装置１６の印刷部３を示す側面図で、図４はそのブロック図である。
【００４０】
この印刷部３には、後述する印刷処理及びコーティング処理等の所定の処理を施す前の初期状態のカードを複数枚集積するホッパ２５と、このホッパ２５から図示しないカード取出部により取出され搬送路２６によって搬送されるカードに申請者の顔画像データあるいは印影データを印画する印画部（サーマルヘッド部）２７と、この印画部２７による印画の後、申請者の個人情報を印字する印字部２８と、この印字部２８による印字の後、カード上に印画された顔画像データあるいは印影データと印字された個人情報を紫外線による挺色あるいは「引っ掻き」などの物理的な損傷から保護するために証明書の表面に透明な保護膜を形成してコーティング処理を行うコート部２９ａ及びコートされた膜に紫外線等を照射して硬化させる照射部２９ｂを有するカード表面処理部２９と、カード表面処理部２９により処理されて後述する振分機構により種類別に振り分けられるカードを集積する複数の集積部としての第１乃至第４のスタッカ３１〜３４が設けられている。スタッカ３１〜３４には開閉扉（図示しない）が設けられ、この開閉扉を開放することにより内部に集積されているカードを取り出したり、ジャムを解除したりすることができるようになっている。
【００４１】
なお、証明書作成システム１における各装置、機器にはそれぞれオペレータが配置されるようになっており、データ入力手段１２、撮影機１４、読取装置１５、証明書作成装置１６は、それぞれ複数台設置するようにしても良い。
【００４２】
図５は第１乃至第４のスタッカ３１〜３４にカードを振り分ける振分機構３８を示す平面図で、図６はその側面図である。
【００４３】
振分機構３８は、上記したように印画、印字、オーバーコート等が施されて作成されたカードＫを搬送する搬送路３９と、この搬送路３９から送り出されるカードＫを受け取ってその種類に応じて第１乃至第４のスタッカ３１〜３４に振り分ける第１乃至第３のキャリッジ４１〜４３により構成される。
【００４４】
第１乃至第３のキャリッジ４１〜４３には搬送路３９から取込んで集積したカードＫを下部側から一枚ずつ順に排出するための排出ローラ機構４４が設けられている。なお、キャリッジは３個に限られることなく、３個以上あっても、勿論、構わない。
【００４５】
第１〜第３のキャリッジ４１〜４３はガイドレール４５，４５にスライド自在に取り付けられ、図１０に示すような駆動制御系により駆動制御される。
【００４６】
即ち、第１〜第３のキャリッジ４１〜４３は駆動手段４６によりガイドレール４５，４５に沿って走行される。駆動手段４６には制御回路を介して制御手段４７が接続されている。そして、制御手段４７には信号路を介して第１〜第４のスタッカ３１〜３４における集積ジャムを検出するスタッカジャムセンサ４９、また、第１乃至第４のスタッカ３１〜３４における開閉扉の開閉を検知する扉センサ５０、さらに、印刷部３における搬送ジャムを検出する搬送ジャムセンサ５１が接続されている。
【００４７】
制御手段４７はスタッカジャムセンサ４９、扉センサ５０、さらに、搬送ジャム検知センサ５１からの検知信号を受けることにより、また、搬送路３９に沿って搬送されてくるカードＫの種類に応じて第１〜第３のキャリッジ４１〜４３を後述するように駆動制御するようになっている。
【００４８】
次に、カードの発行動作について説明する。
【００４９】
なお、ここでは、発行されるカードが運転免許証の場合とし、例えば、第１のスタッカ３１には初心者用の免許証が集積され、第２のスタッカ３２には優良運転者用の免許証が集積され、第３のスタッカ３３には非優良運転者用の免許証が集積されるものとする。
【００５０】
免許証を発行する場合には、まず、申請者から免許証交付申請書を受け取り、その免許情報をデータ入力手段１２によりホストコンピュータ１１に入力する。これにより、ホストコンピュータ１１から作成装置１６にＩＤ番号、氏名、生年月日、本籍、住所、交付年月日、有効期限、免許の条件等、免許の取得年月日、取得免許の種類等の文字フォントデータが供給される（情報供給工程）。また、申請者が撮影機１４により撮影され（撮影工程）、撮影機１４から顔画像データが作成装置１６に送信される。しかるのち、作成装置１６の印刷部３のホッパ２５から図示しないカード取出部によりカードが取り出されて供給され（供給工程）、搬送路２６によって搬送される（搬送工程）。このカードは印画部（サーマルヘッド部）２７に送られて申請者の顔画像データが印画され、この印画後、印字部２８に送られて申請者の個人情報が印字され、さらに、この印字後、カード表面処理部２９に送られてカードの表面に透明な保護膜が形成されて免許証が作成される（作成工程）。しかるのち、免許証はその種類に応じて振分機構３８により選択的に振り分けられる（振分工程）。即ち、印刷部３で作成された免許証Ｋは図５に示すように搬送路３９に沿って搬送され、搬送路３９に一番近い例えば、第１のキャリッジ４１により受け取られる。この受け取られた免許証Ｋが例えば初心者用の免許証の場合には第１のキャリッジ４１が第１のスタッカ３１に移動したのち、免許証を第１のスタッカ３１に排出させて集積させる。
【００５１】
また、搬送されてくる免許証が優良運転者用の免許証の場合には上記したと同様にして第２のスタッカ３２に集積させ、非優良運転者用の免許証の場合には第３のスタッカ３３に集積させる。
【００５２】
ところで、この免許証の区分集積動作時において、スタッカ３１〜３３内で免許証がジャムってしまうことがある。
【００５３】
例えば、第１のスタッカ３１で初心者用の免許証の集積ジャムが発生した場合には、スタックジャムセンサ４９によって検知され、搬送路３９に沿って送られてくる免許証が初心者用のものである場合には、制御手段４７は搬送路３９に第１のキャリッジ４１を移動させて免許証を受け取らせて待機させる。そして、初心者用の免許証に続いて例えば、優良運転者用の免許証が搬送路３９に沿って送られてきた場合には制御手段４７は第１のキャリッジ４１に代わって第２のキャリッジ４２を搬送路３９に移動させて優良運転者用の免許証を受け取らせる。しかるのち、この第２のキャリッジ４２を第２のスタッカ３２に移動させたのち、優良運転者用の免許証を第２のスタッカ３２に排出させて集積させる。ついで、再び、初心者用の免許証が搬送路３９によって搬送されてきた場合には、制御手段４７は第１のキャリッジ４１を再度、搬送路３９に移動させて初心者用の免許証を受け取らせ、この免許証を以前に集積した最初の初心者用の免許証の上に重ねて集積させる。そして、このまま第１のスタッカ３１における初心者用の免許証の集積ジャムが解消されなければ、第１のキャリッジ４１上に初心者用の免許証が所定量集積するまで、上記した動作を繰り返す（制御工程）。
【００５４】
第１のスタッカ３１における初心者用の免許証の集積ジャムが解除された場合には、制御手段４７は第１のキャリッジ４１を第１のスタッカ３１に移動させて第１のキャリッジ４１上に一次的に集積待機させていた初心者用の免許証を下部側のものから順番に第１のスタッカ３１内に排出させて集積させる。
【００５５】
このように、スタッカで集積ジャムが発生した場合には、集積ジャムが発生したスタッカに集積されるべき免許証を複数あるキャリッジの一つに集積待機させ、集積が可能なスタッカに集積させるべき免許証が搬送されてきたときは、この免許証を他のキャリッジで受けて集積可能なスタッカに集積させるため、免許証の作成、振分動作を停止させることなく継続でき、作成効率を向上できる。
【００５６】
次に、上記した免許証の作成動作中にスタッカ３１〜３４の開閉扉（図示しない）が開放された場合について説明する。
【００５７】
開閉扉は例えば、スタッカ３１〜３３に集積された免許証を取り出す場合、或いはスタッカ３１〜３３で生じたジャムを解除する場合等にオペレータによって開放されるようになっている。
【００５８】
開閉扉が開放されると、扉センサ５１によって検知される。この検知があると、制御手段４７は開閉扉が開放されたスタッカに集積されるべき免許証が搬送路３９によって搬送されてくると、搬送路３９に近いキャリッジを搬送路３９に移動させて搬送路３９から搬出される免許証を受け取らせて一次的に集積させる。そして、スタッカからの免許証の取出作業が終わり、或いは、ジャム解除作業が終わってスタッカの開閉扉が閉じられると、それが扉センサ５１によって検知される。この検知があると、制御手段４７は免許証を一次的に集積しているキャリッジを、開閉扉が閉じられたスタッカに移動させたのち、排出ローラ機構４４により免許証を下取り出しで、順序を狂わせることなく排出して該当スタッカに集積させる（制御工程）。
【００５９】
このように、スタッカの開閉扉が開放されたときは、開閉扉が開放されたスタッカに集積されるべき免許証を複数あるキャリッジの一つに集積待機させ、集積が可能なスタッカに集積させるべき免許証が搬送されてきたときは、この免許証を他のキャリッジで受けて集積可能なスタッカに集積させるため、上記したスタッカジャム時と同様に、免許証の作成、振分動作を停止させることなく継続でき、作成効率を向上できる。
【００６０】
次に、キャリッジ４１〜４３の上流側の印刷部３でカードのジャムが発生した場合について説明する。
【００６１】
図３に示すように、印刷部３においてカードＫ１〜Ｋ１０が搬送路２６に沿って搬送されて処理され、そのうち、例えば、カードＫ１からカードＫ９までが第１のスタッカ３１に、カードＫ１０が第２のスタッカ３２に集積されるべきものとする。
【００６２】
このとき、通常通りにカードが作成された場合には、図７に示すように、カードＫ１からカードＫ９までが第１のスタッカ３１に集積され、カードＫ１０が第２のスタッカ３２に集積される。
【００６３】
しかし、印刷部３において、例えば、カードＫ６でジャムが発生した場合には、カードＫ６が除去される。このとき、カードＫ６に続いて搬送されていたカードＫ７〜Ｋ９はカードＫ６を追い越して搬送されることになる。従来においては、キャリッジが一個しかないため、カードＫ７〜Ｋ９をキャリッジ上に一次的に集積させることができず、カードＫ７〜Ｋ９が先に第１のスタッカ３１に集積されてしまう。このため、後から再作成されたカードＫ６は、図８に示すように、第１のスタッカ３１に最後に集積され、本来集積されるべき順序が狂ってしまう。
【００６４】
これに対し、この実施の形態では、抜き取られたカードＫ６を追い抜いてカードＫ７〜カードＫ９が搬送されてくると、制御手段４７は第１のキャリッジ４１を搬送路３９に移動させて受け取らせ、この受け取ったカードＫ７〜カードＫ９を第１のスタッカ３１には排出せずに一次的に集積させて待機させる。ついで、カードＫ１０が搬送されてきたときは、制御手段４７は第２のキャリッジ４２を搬送路３９に移動させてカードＫ１０を受け取らせ、この第２のキャリッジ４２を第２のスタッカ３２に移動させてカードＫ１０を第２のスタッカ３２に排出させて集積させる。しかるのち、ジャムで除去されたカードＫ６が再作成されて搬送されてくると、制御手段４７は、空いている例えば、第３のキャリッジ４３を搬送路３９に移動させてカードＫ６を受け取らせたのち、図９に示すように、第１のスタッカ３１へ移動させてカードＫ６を第１のスタッカ３１へ排出して集積させる。ついで、制御手段４７は待機状態にある第１のキャリッジ４１を第１のスタッカ３１に移動させたのち、カードＫ７〜Ｋ９を下取り出しで順に第１のスタッカ３１へ排出して集積させる（制御工程）。
【００６５】
従って、キャリッジの上流側でカードのジャムが発生した場合でも、集積順序を乱すことなく第１乃至第４のスタッカ３１〜３３に免許証を正しく集積させることが出来る。
【００６６】
【発明の効果】
本発明は以上説明したように、複数の集積部の何れかで媒体の集積が不能になり、この集積不能な集積部に集積されるべき媒体が搬送されてきたときには、この媒体を複数のキャリッジの一つで受けて集積させて待機させ、集積可能な集積部に集積されるべき媒体が搬送されてきたときには、この媒体を他のキャリッジで受けて集積可能な集積部に振り分ける制御手段を備えるから、集積不能な集積部が発生しても媒体の振り分け動作を継続して行うことができ、媒体処理効率を向上することができる。
【００６７】
また、作成手段で媒体が詰まった場合には、この詰まった媒体を除去して後続の媒体を通過させ、この通過する媒体のうち前記除去された媒体と同一種類の媒体をキャリッジの一つに集積させて待機させたのち、作成手段で除去されて再作成されてくる媒体を前記キャリッジの一つとは異なる他のキャリッジで受けて集積部に搬送して排出集積させ、この集積後、前記キャリッジの一つに集積されて待機されている媒体を集積部に搬送してその下部側の媒体から順次排出して集積させる制御手段を備えるから、再作成されて集積部に集積される媒体を従来のように手作業により正しい位置に差し替えるといったことなく、正しい順序で集積でき作業効率を向上できる。
【図面の簡単な説明】
【図１】本発明の一実施の形態である証明書発行システムを示す概略的構成図。
【図２】カード作成装置を示すブロック図。
【図３】カード作成装置の印刷部を示す概略的構成図。
【図４】カード作成装置の印刷部を示すブロック図。
【図５】印刷部のカード振分機構を示す平面図。
【図６】印刷部のカード振分機構を示す側面図。
【図７】カードがスタッカに区分集積された状態を示す図
【図８】従来におけるカードの集積方法を示す図。
【図９】本発明の実施の形態によるカードの集積方法を示す図。
【図１０】カードを振り分けるキャリッジの駆動制御系を示すブロック図。
【符号の説明】
１…証明書発行シシテム（媒体発行システム）
３…印刷部
４…インターフェース
５…制御コンピュータ
１１…ホストコンピュータ（情報供給手段）
１２…データ入力手段
１４…撮影機（撮影手段）
１５…読取装置
１６…証明作成装置（作成手段）
２５…ホッパ
２６…搬送路
２７…印画部
２８…印字部
２９…カード表面処理部
３１…第１のスタッカ（集積部）
３２…第２のスタッカ（集積部）
３３…第３のスタッカ（集積部）
３４…第４のスタッカ（集積部）
３８…振分機構（振分手段）
４１…第１のキャリッジ
４２…第２のキャリッジ
４３…第３のキャリッジ
４５…ガイドレール
４６…駆動手段
４７…制御手段
４９…スタッカジャムセンサ
５０…スタッカ扉センサ
５１…印刷部ジャムセンサ
【図１】
0004481443.tif 000002
【図２】
0004481443.tif 000003
【図３】
0004481443.tif 000004
【図４】
0004481443.tif 000005
【図５】
0004481443.tif 000006
【図６】
0004481443.tif 000007
【図７】
0004481443.tif 000008
【図８】
0004481443.tif 000009
【図９】
0004481443.tif 000010
【図１０】
0004481443.tif 000011